(57)【要約】【課題】単なる防犯の用途だけでなく、看者に美観を生じさせる意匠性に優れた面格子を提供すること。【解決手段】枠材２を格子状に連結して構成した面格子１において、任意の位置の対面する枠材２１に溝部Ｍを形成し、この溝部Ｍを形成した枠材２１によって区画される格子部分ａに装飾パネル４を嵌め込むようにする。【選択図】図１
2006132077.tif 000002
【特許請求の範囲】
【請求項１】
枠材を格子状に連結して構成した面格子において、任意の位置の対面する枠材に溝部を形成し、該溝部を形成した枠材によって区画される格子部分に装飾パネルを嵌め込むようにしたことを特徴とする面格子。
【請求項２】
溝部を形成した枠材及び溝部を形成しない枠材を、該枠材と直交する断面コ字状の長尺枠材の外面材又は内面材を用いて挟持、連結して１列の格子枠を構成するとともに、隣接する格子枠の長尺枠材の内面材又は外面材と嵌合連結して面格子を構成したことを特徴とする請求項１記載の面格子。
【発明の詳細な説明】
【技術分野】
【０００１】
本発明は、面格子に関し、特に、任意の格子枠に装飾パネルを配備し、意匠的要素を取り入れた面格子に関するものである。
【背景技術】
【０００２】
従来、面格子は、図８に示すように、縦枠と横枠とからなる枠材２を格子状に連結して格子部分ａを構成した面格子５０を、建築物の窓部やベランダ等に取り付け、不審者等の侵入を防止する防犯具として使用されている。
【０００３】
このように、面格子は、外部からの不審者等の侵入を防止するという機能面にのみ着目され、意匠的要素を取り入れた面格子は存在しなかった。
【発明の開示】
【発明が解決しようとする課題】
【０００４】
本発明は、上記従来の面格子の有する問題点に鑑み、単なる防犯の用途だけでなく、看者に美観を生じさせる意匠性に優れた面格子を提供することを目的とする。
【課題を解決するための手段】
【０００５】
上記目的を達成するため、本発明の面格子は、枠材を格子状に連結して構成した面格子において、任意の位置の対面する枠材に溝部を形成し、該溝部を形成した枠材によって区画される格子部分に装飾パネルを嵌め込むようにしたことを特徴とする。
【０００６】
この場合において、溝部を形成した枠材及び溝部を形成しない枠材を、該枠材と直交する断面コ字状の長尺枠材の外面材又は内面材を用いて挟持、連結して１列の格子枠を構成するとともに、隣接する格子枠の長尺枠材の内面材又は外面材と嵌合連結して面格子を構成することができる。
【発明の効果】
【０００７】
本発明の面格子は、枠材を格子状に連結して構成した面格子において、任意の位置の対面する枠材に溝部を形成し、該溝部を形成した枠材によって区画される格子部分に装飾パネルを嵌め込むようにしているので、防犯の用途に加え、看者に美観を生じさせる意匠性を持たせることができ、建築物の窓部やベランダ等に取り付けることによって、当該取付箇所の意匠性を向上することができる。
【０００８】
また、溝部を形成した枠材及び溝部を形成しない枠材を、該枠材と直交する断面コ字状の長尺枠材の外面材又は内面材を用いて挟持、連結して１列の格子枠を構成するとともに、隣接する格子枠の長尺枠材の内面材又は外面材と嵌合連結して面格子を構成することにより、簡易な構造で以て、任意の格子部分に装飾パネルを嵌め込むようにすることができる。
【発明を実施するための最良の形態】
【０００９】
以下、本発明の面格子の実施の形態を、図面に基づいて説明する。
【実施例１】
【００１０】
図１〜図７に、本発明の面格子の一実施例を示す。
この面格子１は、枠材２を格子状に連結して構成した面格子１において、任意の位置の対面する枠材２１に溝部Ｍを形成し、この溝部Ｍを形成した枠材２１によって区画される格子部分ａに装飾パネル４を嵌め込むようにする。
なお、特に限定されるものではないが、面格子１を構成する各部材のうち、枠材２等は、アルミニウムやその合金、ステンレススチール等の金属製の押出材や引抜材のほか、合成樹脂製の成形材でもって構成することができ、また、装飾パネル４には、アルミニウムやその合金、ステンレススチール等の金属製の板材のほか、合成樹脂製やセラミック製の板材でもって構成することができる。
【００１１】
枠材２は、面格子１の格子部分ａの一辺の長さに等しい短尺枠材２１と、面格子１の高さとほぼ等しい長さを有する断面コ字状の外面材２２ａ及び内面材２２ｂからなる長尺枠材２２とからなる。
【００１２】
短尺枠材２１は、溝部を有しない短尺枠材２１ａと、溝部Ｍを有する短尺枠材２１ｂとからなり、装飾パネル４を嵌め込む格子部分ａの対辺にのみ溝部Ｍを有する短尺枠材２１ｂを使用する。
なお、すべての短尺枠材２１に溝部Ｍを有する短尺枠材２１ｂを用いることもできる。
【００１３】
溝部Ｍは、図５（ａ）に示すように、短尺枠材２１の一辺の中央部分を長手方向に切り欠き、下側に位置する短尺枠材２１の内部に形成した受け部７によって装飾パネル４の一辺を受けるように構成するほか、図５（ｂ）に示すように、短尺枠材２１の一辺の中央部分に凹溝を形成して装飾パネル４の一辺を嵌合させるように構成することもできる。
【００１４】
また、長尺枠材２２の外面材２２ａは、コ字状端部の内面に爪部Ｔを有し、一方、内面材２２ｂは、コ字状端部の内面に、外面材２２ａの爪部Ｔと嵌合する爪部Ｔを有する。
【００１５】
格子状に組み立てた枠材２１、２２の外周面は、覆い枠２４、２５により覆うようにし、これにより、長尺枠材２２の端面を隠す意匠的効果を持たせるとともに、覆い枠２４、２５には、建築物の窓部やベランダ等に取り付ける際のフランジ部２４ａ、２５ａを形成するようにする。
【００１６】
次に、面格子１の組み立て要領について説明する。
面格子１の組み立ては、図６〜図７に示すように、長尺枠材２２（外面材２２ａ又は内面材２２ｂ）と短尺部材２１（溝部を有しない短尺枠材２１ａ又は溝部Ｍを有する短尺枠材２１ｂ）を直角にネジ等の固着部材５によって取り付ける。この際、装飾パネル４を配備する格子部分ａの対辺には溝部Ｍを有する短尺枠材２１ｂを使用する。
そして、図６に示すように、１本の長尺枠材２２（２２ｂ）に短尺部材２１をすべて取り付けた後、装飾パネル４を配設する場合は、側面から溝部Ｍを有する短尺枠材２１ｂの溝部Ｍに滑り込ませるように嵌め込むようにする。その後、短尺部材２１の他端に長尺枠材２２（２２ｂ）を取り付け、１列の格子部分ａを構成（図１の例によるときは格子部分ａは７個）した１列の格子枠１０を組み立てる。
この格子枠１０は、長尺枠材２２として外面材２２ａを使った格子枠１０ａと、内面材２２ｂを使った格子枠１０ｂとを交互に組み立てる。
なお、格子枠１０は、長尺枠材２２として一方に外面材２２ａを、他方に内面材２２ｂを使うようにしてもよい。
【００１７】
上記作業を繰り返し、格子枠１０を必要な列数組み立てた後、内面に爪部Ｔを有する外面材２２ａを使用した格子枠１０ａと、外面に爪部Ｔを有する内面材２２ｂを使用した格子枠１０ｂとを交互に配置し、爪部同士が引っかかるように嵌合、連結する。
そして角部分に補強連結用のＬ字金具３を介して覆い枠２４、２５を配設することにより外周面を覆い、ボルト等の固着部材６で固定し、面格子１が完成する。
【００１８】
なお、本実施例においては、装飾パネル４は、４箇所に嵌め込むようにした例を示すが、顧客のニーズに合わせて配設箇所、枚数を適宜変更することができる。
【００１９】
以上、本発明の面格子について、その実施例に基づいて説明したが、本発明は上記実施例に記載した構成に限定されるものではなく、例えば、短尺枠材と長尺枠材とを縦横逆に用いたり、格子点に嵌合部を形成した長尺枠材を縦横に用いる等、その趣旨を逸脱しない範囲において適宜その構成を変更することができるものである。
【産業上の利用可能性】
【００２０】
本発明の面格子は、単なる防犯の用途だけでなく、看者に美観を生じさせる意匠性に優れたものであることから、建築物の窓部やベランダ等を始めとする広い用途に用いることができる。
【図面の簡単な説明】
【００２１】
【図１】本発明の面格子の一実施例を示す正面図である。
【図２】同一部拡大したの正面図である。
【図３】同断面図で、（ａ）は図２のＸ−Ｘ断面図、（ｂ）は図２のＹ−Ｙ断面図である。
【図４】同断面図で、（ａ）は図２のＡ−Ａ断面図、（ｂ）は図２のＢ−Ｂ断面図である。
【図５】短尺枠材の断面図で、（ａ）は切り欠き溝の実施例を、（ｂ）は凹溝の実施例を示す。
【図６】面格子の組み立て要領を示す斜視図のうち格子枠の組み立て要領を示す説明図である。
【図７】面格子の組み立て要領を示す斜視図のうち全体の組み立て要領を示す説明図である。
【図８】従来の面格子の正面図である。
【符号の説明】
【００２２】
１    面格子
１０  格子枠
２    枠材
２１  短尺枠材
２１ａ  溝部を有しない短尺枠材
２１ｂ  溝部を有する短尺枠材
２２  長尺枠材
２２ａ  外面材
２２ｂ  内面材
４    装飾パネル
ａ    格子部分
Ｍ    溝部
【図１】
2006132077.tif 000003
【図２】
2006132077.tif 000004
【図３】
2006132077.tif 000005
【図４】
2006132077.tif 000006
【図５】
2006132077.tif 000007
【図６】
2006132077.tif 000008
【図７】
2006132077.tif 000009
【図８】
2006132077.tif 000010